【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
燃料を受け入れて酸化剤と共に燃焼させるように構成された燃焼器と、
前記燃焼器からの燃焼生成物によって駆動されるタービンと、
前記タービンと前記燃焼器とに流体的に結合され、前記タービンから排気ガスを吸入して該排気ガスの少なくとも一部分を希釈剤として前記燃焼器に再循環させるように構成された排気再循環セクションと、
前記排気ガスの排気流れ組成を表す第１の信号を受信し、前記希釈剤の希釈剤流れ組成を表す第２の信号を受信し、推定排気質量流れを導出し、推定希釈剤質量流れを導出し、少なくとも部分的に、前記第１の信号、前記第２の信号、前記推定排気質量流れ、および前記推定希釈剤質量流れに基づいて燃焼当量比φCOMBを導出し、少なくとも部分的に前記燃焼当量比φCOMBに基づいてＥＧＲガスタービンシステムを制御するように構成された１又は２以上のプロセッサを含む制御システムと、
を有する排気再循環（ＥＧＲ）ガスタービンシステムを、備えている、
ことを特徴とするシステム。
【請求項２】
前記１又は２以上のプロセッサは、少なくとも部分的に燃焼当量比φCOMBに基づいて前記ＥＧＲガスタービンシステムを制御して約０．９５と１．０５の間の燃焼化学量論を維持するように構成される、
請求項１に記載のシステム。
【請求項３】
前記制御システムに通信的に結合され、かつ前記第１の信号を送信するように構成された第１のラムダセンサを含み、
前記第１のラムダセンサは、前記排気再循環セクションの排気受け入れ部分上に位置決めされる、
請求項１に記載のシステム。
【請求項４】
前記制御システムに通信的に結合され、かつ前記第２の信号を送信するように構成された第２のラムダセンサを含み、
前記第２のラムダセンサは、前記タービンの入口上又はその近くに配置される、
請求項１に記載のシステム。
【請求項５】
前記制御システムに通信的に結合され、かつ第３の信号を前記１又は２以上のプロセッサに送信するように構成された第３のラムダセンサを含み、
前記第３のラムダセンサは、前記圧縮機から抽出された圧縮流体の中間段抽出組成を測定するように位置決めされ、
前記１又は２以上のプロセッサは、少なくとも部分的に前記第１、前記第２及び第３の信号に基づいて前記燃焼当量比φCOMBを導出するように構成される、
請求項４に記載のシステム。
【請求項６】
前記排気再循環セクションは、第２の希釈剤を前記燃焼器に追加するように構成され、
前記第２の希釈剤は、水、蒸気、窒素、又は不活性ガスを含む、
請求項１に記載のシステム。
【請求項７】
前記１又は２以上のプロセッサに通信的に結合され、かつ前記第２の信号を送信するように構成されたラムダセンサを含み、
前記ラムダセンサは、前記第２の希釈剤の第２の希釈剤組成を測定するように構成される、
請求項６に記載のシステム。
【請求項８】
前記排気再循環セクションは、前記排気ガスを処理して前記希釈剤を提供するように構成された排気ガス（ＥＧ）処理システムを含む、
請求項１に記載のシステム。
【請求項９】
前記ＥＧ処理システムは、再利用送風機及び熱回収蒸気発電機システムを含む、
請求項８に記載のシステム。
【請求項１０】
前記１又は２以上のプロセッサは、入口ガイドベーン位置、可変固定子ベーン位置、速度、タービン入口絞り弁位置、排気放出絞り弁位置、燃料弁位置、又はその組合せのうちの１又は２以上を変調することによって前記ＥＧＲガスタービンシステムを制御するように構成される、
請求項１に記載のシステム。
【請求項１１】
超低エミッション技術（ＵＬＥＴ）発電プラントを含み、
前記ＥＧＲガスタービンシステムは、前記ＵＬＥＴ発電プラントの一部である、
請求項１に記載のシステム。
【請求項１２】
電力を生成して該電力の一部分を配電網に提供する排気再循環（ＥＧＲ）ガスタービンシステムの燃焼器内で燃料及び酸化剤を燃焼させる段階と、
前記燃焼器によって提供される燃焼流体を通じて、回転パワー及び排気ガスを生成するガスタービンを駆動する段階と、
前記排気ガスを希釈剤として前記燃焼器の中に再循環させる段階と、
前記排気ガスの排気流れ組成を感知する段階と、
前記希釈剤の希釈剤流れ組成を感知する段階と、
推定排気質量流れを導出する段階と、
推定希釈剤質量流れを導出する段階と、
少なくとも部分的に、前記感知排気流れ組成、前記感知希釈剤流れ組成、前記推定排気質量流れ、および前記推定希釈剤質量流れに基づいて燃焼当量比φCOMBを導出する段階と、
１又は２以上のプロセッサを通じて、少なくとも部分的に前記燃焼当量比φCOMBに基づいて前記ＥＧＲガスタービンシステムの１又は２以上のパラメータを制御する段階と、を含む、
ことを特徴とする方法。
【請求項１３】
前記ＥＧＲガスタービンシステムの前記１又は２以上のパラメータを制御して約０．９５と１．０５の間の燃焼化学量論を維持する段階を含む、
請求項１２に記載の方法。
【請求項１４】
水、蒸気、窒素、又は不活性ガスを含む第２の希釈剤を前記燃焼器に追加する段階と、
前記第２の希釈剤の第２の希釈剤流れ組成を感知する段階と、
前記希釈剤の第１の希釈剤流れを前記第２の希釈剤の第２の希釈剤流れに追加して全体希釈剤流れを生成し、かつ該第１の希釈剤流れに含まれる前記排気ガスの排気ガス流れを該全体希釈剤流れで割り算することによって排気ガスの百分率を導出する段階と、
少なくとも部分的に前記感知排気流れ組成、前記感知希釈剤流れ組成、及び排気ガスの前記百分率に基づいて前記燃焼当量比φCOMBを導出する段階と、を含む、
請求項１２に記載の方法。
【請求項１５】
前記排気流れ組成を感知する段階は、前記排気ガス中の酸素の割合を感知する段階を含む、
請求項１２に記載の方法。
【請求項１６】
前記希釈剤流れ組成を感知する段階は、前記希釈剤中の酸素の割合を感知する段階を含む、
請求項１２に記載の方法。
【請求項１７】
前記ＥＧＲガスタービンシステムの適応実時間エンジンシミュレーション（ＡＲＥＳ）モデルを実行して予想排気流れ組成及び予想希釈剤流れ組成を導出する段階を含み、
前記ＥＧＲガスタービンシステムの前記１又は２以上のパラメータを制御する段階は、少なくとも前記予想排気流れ組成を前記感知排気流れ組成と比較し、かつ前記予想希釈剤流れ組成を前記感知希釈剤流れ組成と比較することに基づいて該１又は２以上のパラメータを調節する段階を含む、
請求項１２に記載の方法。
【請求項１８】
１又は２以上のプロセッサによって実行可能な命令を格納する非一時的コンピュータ可読媒体であって、
前記命令は、
前記１又は２以上のプロセッサによって実行された時に、該１又は２以上のプロセッサに、電力を生成して該電力の一部分を配電網に提供する排気再循環（ＥＧＲ）ガスタービンシステムの燃焼器内で燃料及び酸化剤を燃焼させる命令と、
前記１又は２以上のプロセッサによって実行された時に、該１又は２以上のプロセッサに、前記燃焼器によって提供される燃焼流体を通じて、回転パワー及び排気ガスを生成するガスタービンを駆動させる命令と、
前記１又は２以上のプロセッサによって実行された時に、該１又は２以上のプロセッサに、前記排気ガスを希釈剤として前記燃焼器の中に再循環させる命令と、
前記１又は２以上のプロセッサによって実行された時に、該１又は２以上のプロセッサに、前記排気ガスの排気流れ組成を感知させる命令と、
前記１又は２以上のプロセッサによって実行された時に、該１又は２以上のプロセッサに、前記希釈剤の希釈剤流れ組成を感知させる命令と、
前記１又は２以上のプロセッサによって実行された時に、該１又は２以上のプロセッサに、推定排気質量流れを導出させる命令と、
前記１又は２以上のプロセッサによって実行された時に、該１又は２以上のプロセッサに、推定希釈剤質量流れを導出させる命令と、
前記１又は２以上のプロセッサによって実行された時に、該１又は２以上のプロセッサに、少なくとも部分的に、前記感知排気流れ組成、前記感知希釈剤流れ組成、前記推定排気質量流れ、および前記推定希釈剤質量流れに基づいて燃焼当量比φCOMBを導出させる命令と、
前記１又は２以上のプロセッサによって実行された時に、該１又は２以上のプロセッサに、少なくとも部分的に前記燃焼当量比φCOMBに基づいて前記ＥＧＲガスタービンシステムの１又は２以上のパラメータを制御させる命令と、を含む、
ことを特徴とする媒体。
【請求項１９】
前記１又は２以上のプロセッサによって実行された時に、該１又は２以上のプロセッサに、
水、蒸気、窒素、又は不活性ガスを含む第２の希釈剤を前記燃焼器に追加させ、
前記第２の希釈剤の第２の希釈剤流れ組成を感知させ、
前記希釈剤の第１の希釈剤流れを前記第２の希釈剤の第２の希釈剤流れに追加して全体希釈剤流れを生成し、かつ該第１の希釈剤流れに含まれる前記排気ガスの排気ガス流れを該全体希釈剤流れで割り算することによって排気ガスの百分率を導出し、かつ
少なくとも部分的に前記感知排気流れ組成、前記感知希釈剤流れ組成及び排気ガス中の希釈剤の前記百分率に基づいて前記燃焼当量比φCOMBを導出させる、命令を含む、
請求項１８に記載の媒体。
【請求項２０】
前記１又は２以上のプロセッサによって実行された時に、該１又は２以上のプロセッサをして、前記ＥＧＲガスタービンシステムの前記１又は２以上のパラメータを制御して約０．９５と１．０５の間の燃焼化学量論を維持させる命令を含む、
請求項１８に記載の媒体。